(57)【要約】      （修正有）【課題】複数のポケットを設けつつ、それが外部から見えるのを防止することのできる隠しポケット付き上着を提供する。【解決手段】上着１に大ポケット２を設ける。大ポケット２に上部から少なくとも一方の側部に渡って開口４を設ける。開口４を開閉可能なスライドファスナー５、６を設ける。大ポケット２の内側に複数の隠しポケット７を設ける。【選択図】図２
0003174908.tif 000002
【実用新案登録請求の範囲】
【請求項１】
上部から少なくとも一方の側部に渡って開口が設けられた大ポケットと、前記開口を開閉可能なスライドファスナーとを備え、前記大ポケットの内側に複数の隠しポケットが設けられたことを特徴とする隠しポケット付き上着。
【請求項２】
前記開口が大ポケットの上部から一方の側部及び下部に渡って設けられ、前記開口を上部側及び下部側の両側から開放可能なよう、前記スライドファスナーに複数のスライダーが設けられたことを特徴とする請求項１に記載の隠しポケット付き上着。
【考案の詳細な説明】
【技術分野】
【０００１】
本考案は、例えばトラベルベストや多目的機能ベストとして使用される隠しポケット付き上着に関するものである。
【背景技術】
【０００２】
一般に、上着は、財布や定期入れ、名刺入れ、手帳、筆記具などの種々の小物類を収納可能な複数のポケットを備えており、防寒などの上着の本来的な機能を奏するだけでなく、種々の小物類を携帯するためのものとしても機能している。この上着のポケットの機能に着目して、例えば、特許文献１は、夏季にも小物類を容易に携帯できるようにしたベストを開示している。
【先行技術文献】
【特許文献】
【０００３】
【特許文献１】実用新案登録第３１５５３６４号公報（段落番号０００７）
【考案の概要】
【考案が解決しようとする課題】
【０００４】
ところで、多目的機能ベストやトラベルベストなどでは、多数の小物類を携帯可能なように、多数のポケットを設けることが望まれる。
【０００５】
ただ、多数のポケットを設けた上着は、その多数のポケットが外部から見えることにより、例えば多目的機能ベストの場合、周囲の状況によっては、作業中であるような印象が違和感を与えることがあり、トラベルベストの場合、すりやひったくりなどに狙われやすくなるおそれがある。
【０００６】
本考案は、複数のポケットを設けつつ、それが外部から見えるのを防止することのできる隠しポケット付き上着の提供を目的とする。
【課題を解決するための手段】
【０００７】
上記目的を達成するために、本考案に係る隠しポケット付き上着は、上部から少なくとも一方の側部に渡って開口を設けた大ポケットと、その開口を開閉可能なスライドファスナーとを備え、大ポケットの内側に複数の隠しポケットを設けたものである。
【０００８】
上記構成によれば、大ポケットの内側に複数の隠しポケットを設けるので、複数のポケットを設けつつ、それが外部から見えるのを防止することができ、ポケットが見えることによるデメリットを抑えつつ、多数のポケットを設けて多数の小物類を携帯可能にすることができる。これにより、例えば多目的機能ベストを着用したときの作業中であるような印象をなくして、周囲の状況に対する違和感をなくすことができ、また、トラベルベストを着用したときに、すりやひったくりなどに狙われやすくなるのを防止することができる。なお、本考案の上着は、多目的機能ベストやトラベルベストなどのベストに限らず、袖を付けたジャケットなどであってもよい。
【０００９】
また、大ポケットの上部から少なくとも一方の側部に渡って開口を設けるので、大ポケットを大きく開くことができ、隠しポケットへの小物類の出し入れを容易にすることができる。しかも、スライドファスナーを設けて大ポケットの開口を開閉可能にするので、面ファスナーを設けた場合のような、不安感を与えることがなく、その開閉を容易にすると共に、開口部分にごみや埃などが付着するのを防止することができる。
【００１０】
また、開口を大ポケットの上部から一方の側部及び下部に渡って設け、開口を上部側及び下部側の両側から開放可能なよう、スライドファスナーに複数のスライダーを設けるようにしてもよい。
【００１１】
この構成によれば、開口を大ポケットの上部から一方の側部及び下部に渡って設けるので、大ポケットをより大きく開くことができる。しかも、複数のスライダーを設けて開口を上部側及び下部側の両側から開放可能にするので、大ポケットを複数の開き方で開くことができ、状況に応じて開き方を使い分けることができる。
【考案の効果】
【００１２】
以上のとおり、本考案によると、上着に大ポケットを設けて、その内側に複数の隠しポケットを設けるので、複数のポケットを外部から見えないように設けることができる。これにより、作業中であるような印象を与えたり、すりやひったくりに狙われやすくなるなどのデメリットを抑えつつ、多数のポケットを設けて多数の小物類を携帯可能にすることができる。
【図面の簡単な説明】
【００１３】
【図１】本考案に係る隠しポケット付き上着の正面図
【図２】隠しポケット付き上着の大ポケットを開いた状態を示す図
【考案を実施するための形態】
【００１４】
以下、本考案に係る隠しポケット付き上着を実施するための形態について、図面を用いて説明する。
【００１５】
図１に示すように、隠しポケット付き上着１は、例えば多目的機能ベストやトラベルベストとして使用されるポケット付きベストであり、上着１の正面の左右両側に設けられた大ポケット２と、大ポケット２の表面に設けられた表ポケット３と、大ポケット２の上部から上着中心側を通って下部に至る範囲に設けられた開口４と、開口４を開閉可能な上側スライドファスナー５及び下側スライドファスナー６とを備え、その大ポケット２の内側に複数の隠しポケット７が設けられている。
【００１６】
上側スライドファスナー５は、開口４のうちの上部から上着中心側の側部に渡る範囲に設けられ、この範囲の開口４を開閉可能にしている。この上側スライドファスナー５は、開口４の両側に対をなして設けられたエレメント８と、両側のエレメント８の噛み合い又はその解除を切り換えて開口４を開閉する２つのスライダー９、１０とを備えている。
【００１７】
下側スライドファスナー６は、開口４のうちの下部に設けられ、この範囲の開口４を開閉可能にしている。この下側スライドファスナー６は、開口４の両側に対をなして設けられたエレメント１１と、両側のエレメント１１の噛み合い又はその解除を切り換えて開口４を開閉する１つのスライダー１２とを備えている。
【００１８】
図２に示すように、隠しポケット７は、大ポケット２の内側の両面に設けられ、大ポケット２の内側各面に２つずつで、左右両側の大ポケット２に合計８つの隠しポケット７が設けられている。
【００１９】
この隠しポケット７は、スライダー９、１０をそれぞれ上下に移動させて上側スライドファスナー５を閉じると共に、スライダー１２を上着中心側に移動させて下側スライドファスナー６を閉じて、開口４の全範囲を閉じることにより、大ポケット２の外部から見えないように隠される（図１参照）。
【００２０】
また、スライダー９、１０の両方を上側に移動させて上側スライドファスナー５を開くと共に、スライダー１２を上着中心と反対側に移動させて下側スライドファスナー６を開くことにより、大ポケット２の全体を開いて、隠しポケット７に小物類を容易に出し入れすることができる（図２参照）。
【００２１】
また、スライダー１２を上着中心側に移動させて下側スライドファスナー６を閉じたまま、スライダー９、１０の両方を下側に移動させて上側スライドファスナー５を開いて、開口４のうちの上部から上着中心側の側部に渡る範囲を開くことにより、大ポケット２の全体を開くことなく、隠しポケット７に小物類を出し入れすることができる（図２参照）。
【００２２】
上記構成によれば、大ポケット２の内側に多数の隠しポケット７を設けるので、大ポケット２の外部から隠しポケット７が見えないようにすることができ、作業中であるという印象を与えたり、すりやひったくりに狙われたりすることなく、多数の小物類を携帯することができる。
【符号の説明】
【００２３】
１    隠しポケット付き上着
２    大ポケット
３    表ポケット
４    開口
５    上側スライドファスナー
６    下側スライドファスナー
７    隠しポケット
８、１１  エレメント
９、１０、１２  スライダー
【図１】
0003174908.tif 000003
【図２】
0003174908.tif 000004